(57)【要約】  本開示は、インフラストラクチャ監視ソフトウェアを使用してサイバーセキュリティリスクデータを収集するための技法を提供する。方法は、リスクマネージャシステム（１５４）からの第１の情報を、それぞれがコンピューティングシステム（２００）内のそれぞれのデバイス（２２０、２４０）に関連した複数のエージェント（２４２）に送信すること（３１０）を含む。第１の情報は、１つ又は複数のリスク監視構成に関連している。方法は、エージェント（２４２）からリスクマネージャシステム（１５４）によって第２の情報を受信すること（３１５）を含む。第２の情報は、それぞれのデバイス（２２０、２４０）に関連した特定された脆弱性及び事象を特定する。方法は、第２の情報及び第２の情報の分析のうちの少なくとも１つを格納し、それをユーザ（２５０）に表示すること（３２０）を含む。
2018510544.tif 000002
【特許請求の範囲】
【請求項１】
リスクマネージャシステム（１５４）からの第１の情報を、それぞれがコンピューティングシステム（２００）内のそれぞれのデバイス（２２０、２４０）に関連した複数のエージェント（２４２）に送信するステップ（３１０）であって、前記第１の情報が、１つ又は複数のリスク監視構成に関連している、ステップ（３１０）と、
前記エージェント（２４２）から前記リスクマネージャシステム（１５４）によって第２の情報を受信するステップ（３１５）であって、前記第２の情報が、前記それぞれのデバイス（２２０、２４０）に関連した脆弱性及び事象を特定する、ステップ（３１５）と、
前記第２の情報及び前記第２の情報の分析のうちの少なくとも１つを格納し、それをユーザ（２５０）に表示するステップ（３２０）と、を含む、方法。
【請求項２】
前記リスク監視構成を受信するステップ（３０５）をさらに含む、請求項１に記載の方法。
【請求項３】
前記それぞれのデバイス（２２０、２４０）の要件に従い、前記１つ又は複数のリスク監視構成を、前記第１の情報に変換するステップ（３１０）をさらに含む、請求項１に記載の方法。
【請求項４】
前記第２の情報を、前記それぞれのデバイスに関連した複数のフォーマットから一貫したフォーマットに変換するステップ（３１５）をさらに含む、請求項１に記載の方法。
【請求項５】
前記デバイスが、スイッチ、ルータ、及び侵入防止システムを含む、ネットワークノード（２２０）である、請求項１に記載の方法。
【請求項６】
前記デバイスが、ワークステーション、ホワイトリスティングサーバ、アンチウイルスシステム、バックアップサーバ、及びその他のセキュリティソフトウェアのうちの１つ又は複数を含む、監視ノード（２４０）である、請求項１に記載の方法。
【請求項７】
前記リスクマネージャシステム（１５４）が、データアダプタ（２３２）を使用して、前記エージェント（２４２）のそれぞれに、またそれぞれからデータを移すルールエンジン（２３０）を含む、請求項１に記載の方法。
【請求項８】
コントローラ（１５６）と、
ディスプレイと、を備え、
第１の情報を、それぞれがコンピューティングシステム（２００）内のそれぞれのデバイス（２２０、２４０）に関連した複数のエージェント（２４２）に送信するステップ（３１０）であって、前記第１の情報が、１つ又は複数のリスク監視構成に関連している、ステップ（３１０）と、
前記エージェント（２４２）から第２の情報を受信するステップ（３１５）であって、前記第２の情報が、前記それぞれのデバイス（２２０、２４０）に関連した脆弱性及び事象を特定する、ステップ（３１５）と、
前記第２の情報及び前記第２の情報の分析のうちの少なくとも１つを格納し、それをユーザ（２５０）に表示するステップ（３２０）と、を行うように構成された、リスクマネージャシステム（１５４）。
【請求項９】
前記リスクマネージャシステム（１５４）が、前記リスク監視構成を受信する（３０５）、請求項８に記載のリスクマネージャシステム。
【請求項１０】
前記リスクマネージャシステム（１５４）が、前記それぞれのデバイス（２２０、２４０）の要件に従い、前記１つ又は複数のリスク監視構成を、前記第１の情報に変換する（３１０）、請求項８に記載のリスクマネージャシステム。
【請求項１１】
前記リスクマネージャシステム（１５４）が、前記第２の情報を、前記それぞれのデバイスに関連した複数のフォーマットから一貫したフォーマットに変換する（３１５）、請求項８に記載のリスクマネージャシステム。
【請求項１２】
前記デバイスが、スイッチ、ルータ、及び侵入防止システムを含む、ネットワークノード（２２０）である、請求項８に記載のリスクマネージャシステム。
【請求項１３】
前記デバイスが、ワークステーション、ホワイトリスティングサーバ、アンチウイルスシステム、バックアップサーバ、及びその他のセキュリティソフトウェアのうちの１つ又は複数を含む、監視ノード（２４０）である、請求項８に記載のリスクマネージャシステム。
【請求項１４】
前記リスクマネージャシステム（１５４）が、データアダプタ（２３２）を使用して、前記エージェント（２４２）のそれぞれに、またそれぞれからデータを移す、ルールエンジン（２３０）を含む、請求項８に記載のリスクマネージャシステム。
【請求項１５】
実行されると、リスクマネージャシステム（１５４）の１つ又は複数のプロセッサ（１５６）に、
第１の情報を、それぞれがコンピューティングシステム（２００）内のそれぞれのデバイス（２２０、２４０）に関連した複数のエージェント（２４２）に送信するステップ（３１０）であって、前記第１の情報が、１つ又は複数のリスク監視構成に関連している、ステップ（３１０）と、
前記エージェント（２４２）から第２の情報を受信するステップ（３１５）であって、前記第２の情報が、前記それぞれのデバイス（２２０、２４０）に関連した脆弱性及び事象を特定する、ステップ（３１５）と、
前記第２の情報及び前記第２の情報の分析のうちの少なくとも１つを格納し、それをユーザ（２５０）に表示するステップ（３２０）と、を行わせる、実行可能命令で符号化された非一時的機械可読媒体（１５８）。
【発明の詳細な説明】
【技術分野】
【０００１】
関連出願の相互参照
[0001]本出願は、参照により本明細書に組み込まれる、２０１５年２月６日に出願された米国仮特許出願第６２／１１３，１００号の出願日の利益を主張する。
【０００２】
[0002]本開示は、概して、ネットワークセキュリティに関する。より詳細には、本開示は、インフラストラクチャ監視ソフトウェアを使用してサイバーセキュリティリスクデータを収集するための技法に関する。
【背景技術】
【０００３】
[0003]処理設備は、産業用プロセス制御及び自動化システムを使用して管理されることが多い。従来の制御及び自動化システムは、決まって、サーバ、ワークステーション、スイッチ、ルータ、ファイアウォール、安全システム、独自のリアルタイムコントローラ、及び産業用フィールドデバイスなど、様々なネットワーク化デバイスを含む。多くの場合、この機器は、いくつかの異なる販売業者から来る。産業環境において、サイバーセキュリティへの懸念が高まっており、これらの構成要素のいずれかにおける取り組まれていないセキュリティの脆弱性が、動作に支障を来すか又は産業用設備に危険状態を引き起こすように攻撃者によって付け込まれる可能性がある。
【発明の概要】
【発明が解決しようとする課題】
【０００４】
本開示は、上述の課題を解決するものである。
【課題を解決するための手段】
【０００５】
[0004]本開示は、方法及び対応するシステム、ならびに機械可読媒体を含む、インフラストラクチャ監視ソフトウェアを使用してサイバーセキュリティリスクデータを収集するための技法を提供する。方法は、リスクマネージャシステムからの第１の情報を、それぞれがコンピューティングシステム内のそれぞれのデバイスに関連した複数のエージェントに送信することを含む。第１の情報は、１つ又は複数のリスク監視構成に関連している。方法は、エージェントからリスクマネージャシステムによって第２の情報を受信することを含む。第２の情報は、それぞれのデバイスに関連した特定された脆弱性及び事象を特定する。方法は、第２の情報及び第２の情報の分析のうちの少なくとも１つを格納し、それをユーザに表示することを含む。
【０００６】
[0005]以下の図、発明を実施するための形態、及び特許請求の範囲から、当業者には、その他の技術的特徴がすぐに明らかとなるであろう。
[0006]本開示のより完全な理解のために、ここで、以下の添付の図面と共になされる以下の発明を実施するための形態を参照する。
【図面の簡単な説明】
【０００７】
【図１】[0007]本開示による、産業用プロセス制御及び自動化システムの例を示す図である。
【図２】[0008]本開示による、インフラストラクチャ監視ソフトウェアを使用してサイバーセキュリティリスクデータを収集するための技法をサポートするアーキテクチャの例を示す図である。
【図３】[0009]開示された実施形態による、プロセスのフローチャートを示す図である。
【発明を実施するための形態】
【０００８】
[0010]以下に述べられる図、また本特許書類において本発明の原理を説明するために使用される様々な実施形態は、単に例示としてのものであり、どのような形であれ本発明の範囲を限定するものとして解釈されるべきではない。本発明の原理が、任意のタイプの適切に構成されたデバイス又はシステムにおいて実施され得る、ということが当業者であれば理解するであろう。
【０００９】
[0011]図１は、本開示による、例示的な産業用プロセス制御及び自動化システム１００を示す図である。図１に示されるように、システム１００は、少なくとも１つの製品又はその他の材料（ｍａｔｅｒｉａｌ）の生産又は処理を容易にする様々な構成要素を含む。例えば、システム１００は、本明細書では、１つ又は複数のプラント１０１ａ〜１０１ｎ内の構成要素にわたる制御を容易にするために使用される。各プラント１０１ａ〜１０１ｎは、少なくとも１つの製品又はその他の材料を生産するための１つ又は複数の製造設備などの、１つ又は複数の処理設備（又は、その１つ又は複数の部分）に相当する。一般に、各プラント１０１ａ〜１０１ｎは、１つ又は複数のプロセスを実装してもよく、個別に又はまとめてプロセスシステムと呼ばれることが可能である。プロセスシステムは、一般に、１つ又は複数の製品又はその他の材料を何らかの方法で処理するように構成された、任意のシステム又はその一部に相当する。
【００１０】
[0012]図１では、システム１００は、プロセス制御のパデュー（Ｐｕｒｄｕｅ）モデルを使用して実装される。パデューモデルでは、「レベル０」は、１つ又は複数のセンサ１０２ａと１つ又は複数のアクチュエータ（ａｃｔｕａｔｏｒ）１０２ｂを含み得る。センサ１０２及びアクチュエータ１０２ｂは、多種多様な機能のいずれかを果たすことが可能な、プロセスシステム内の構成要素に相当する。例えば、センサ１０２ａは、温度、圧力、又は流量などのプロセスシステムにおける多種多様な特性を測定することができる。また、アクチュエータ１０２ｂは、プロセスシステムにおける多種多様な特性を修正することができる。センサ１０２ａ及びアクチュエータ１０２ｂは、任意の適切なプロセスシステム内の任意のその他の又は追加の構成要素に相当することができる。センサ１０２ａのそれぞれは、プロセスシステムにおける１つ又は複数の特性を測定するのに適した任意の構造を含む。アクチュエータ１０２ｂのそれぞれは、プロセスシステムにおける１つ又は複数の条件下で動作するのに、又は１つ又は複数の条件に影響を及ぼすのに適した任意の構造を含む。
【００１１】
[0013]少なくとも１つのネットワーク１０４は、センサ１０２ａとアクチュエータ１０２ｂに結合される。ネットワーク１０４は、センサ１０２ａ及びアクチュエータ１０２ｂとの相互作用を容易にする。例えば、ネットワーク１０４は、センサ１０２ａからの測定データを伝送し、制御信号をアクチュエータ１０２ｂに提供することができる。ネットワーク１０４は、任意の適切なネットワーク又はネットワークの組合せに相当することができる。特定の例として、ネットワーク１０４は、イーサネット（登録商標）ネットワーク、電気信号ネットワーク（ＨＡＲＴ又はＦＯＵＮＤＡＴＩＯＮ  Ｆｉｅｌｄｂｕｓネットワークなど）、空気制御信号ネットワーク、又は任意のその他のもしくは追加型のネットワークに相当することができる。
【００１２】
[0014]パデューモデルでは、「レベル１」は、ネットワークに１０４に結合される１つ又は複数のコントローラ１０６を含み得る。各コントローラ１０６は、特に、１つ又は複数のセンサ１０２ａからの測定値を使用して、１つ又は複数のアクチュエータ１０２ｂの動作を制御し得る。例えば、コントローラ１０６は、１つ又は複数のセンサ１０２ａから測定データを受信し、その測定データを使用して、１つ又は複数のアクチュエータ１０２ｂ用の制御信号を生成することができる。各コントローラ１０６は、１つ又は複数のセンサ１０２ａと相互作用し、かつ１つ又は複数のアクチュエータ１０２ｂを制御するのに適した任意の構造を含む。各コントローラ１０６は、例えば、比例−積分−微分（ＰＩＤ：Ｐｒｏｐｏｒｔｉｏｎａｌ−Ｉｎｔｅｇｒａｌ−Ｄｅｒｉｖａｔｉｖｅ）コントローラ、あるいは、ロバスト多変数予測制御テクノロジー（ＲＭＰＣＴ：Ｒｏｂｕｓｔ  Ｍｕｌｔｉｖａｒｉａｂｌｅ  Ｐｒｅｄｉｃｔｉｖｅ  Ｃｏｎｔｒｏｌ  Ｔｅｃｈｎｏｌｏｇｙ）コントローラ、又はモデル予測制御（ＭＰＣ：Ｍｏｄｅｌ  Ｐｒｅｄｉｃｔｉｖｅ  Ｃｏｎｔｒｏｌ）もしくはその他の先進的予測制御（ＡＰＣ：Ａｄｖａｎｃｅｄ  Ｐｒｅｄｉｃｔｉｖｅ  Ｃｏｎｔｒｏｌ）を実装するその他のタイプのコントローラなどの多変数コントローラに相当する可能性がある。特定の例として、各コントローラ１０６は、リアルタイムオペレーティングシステムを実行するコンピューティングデバイスに相当することができる。
【００１３】
[0015]２つのネットワーク１０８は、コントローラ１０６に結合される。ネットワーク１０８は、コントローラ１０６との間でデータのやり取りを行うなどによって、コントローラ１０６との相互作用を容易にする。ネットワーク１０８は、任意の適切なネットワーク又はネットワークの組合せに相当することができる。特定の例として、ネットワーク１０８は、ハネウェル・インターナショナル社（Ｈｏｎｅｙｗｅｌｌ  Ｉｎｔｅｒｎａｔｉｏｎａｌ  Ｉｎｃ．）からのフォルトトレラントイーサネット（登録商標）（ＦＴＥ：Ｆａｕｌｔ  Ｔｏｌｅｒａｎｔ  Ｅｔｈｅｒｎｅｔ）ネットワークなどの、冗長ペアのイーサネット（登録商標）ネットワークに相当することができる。
【００１４】
[0016]少なくとも１つのスイッチ／ファイアウォール１１０は、ネットワーク１０８を、２つのネットワーク１１２に結合する。このスイッチ／ファイアウォール１１０は、１つのネットワークからのトラフィックを、もう一方のネットワークに伝送し得る。スイッチ／ファイアウォール１１０はまた、１つのネットワーク上のトラフィックが、もう一方のネットワークに達することを阻止し得る。スイッチ／ファイアウォール１１０は、ハネウェル制御ファイアウォール（ＣＦ９）デバイスなどの、ネットワーク間での通信を提供するのに適した任意の構造を含む。ネットワーク１１２は、ＦＴＥネットワークなどの任意の適切なネットワークに相当することができる。
【００１５】
[0017]パデューモデルにおいて、「レベル２」は、ネットワーク１１２に結合された１つ又は複数の機械レベルのコントローラ１１４を含み得る。機械レベルのコントローラ１１４は、特定の産業用機器（ボイラ又はその他の機械など）に関連付けられることが可能な、コントローラ１０６、センサ１０２ａ、及びアクチュエータ１０２ｂの動作及び制御をサポートするために、様々な機能を果たす。例えば、機械レベルのコントローラ１１４は、センサ１０２ａからの測定データ又はアクチュエータ１０２ｂ用の制御信号などの、コントローラ１０６によって収集又は生成された情報のログを作成することができる。機械レベルのコントローラ１１４は、コントローラ１０６の動作を制御し、それによってアクチュエータ１０２ｂの動作を制御するアプリケーションを実行することもできる。さらに、機械レベルのコントローラ１１４は、コントローラ１０６へのセキュアなアクセスを提供することができる。機械レベルのコントローラ１１４のそれぞれは、１つの機械もしくはその他の個々の機器へのアクセスを提供するのに、それらの制御に、又はそれらに関する動作に適した任意の構造を含む。機械レベルのコントローラ１１４のそれぞれは、例えば、Ｍｉｃｒｏｓｏｆｔ  Ｗｉｎｄｏｗｓオペレーティングシステムを実行するサーバコンピューティングデバイスに相当することができる。示されていないが、種々の機械レベルのコントローラ１１４が、プロセスシステム内の種々の機器を制御するために使用され得る（この場合、各機器は、１つ又は複数のコントローラに１０６、センサ１０２ａ、及びアクチュエータ１０２ｂに関連付けられる）。
【００１６】
[0018]１つ又は複数のオペレータステーション１１６は、ネットワーク１１２に結合される。オペレータステーション１１６は、機械レベルのコントローラ１１４へのユーザアクセスを提供し、それによって、コントローラ１０６（また、場合によっては、センサ１０２ａ及びアクチュエータ１０２ｂ）へのユーザアクセスを提供することのできる、コンピューティング又は通信デバイスに相当する。特定の例として、オペレータステーション１１６は、ユーザに、コントローラ１０６及び／又は機械レベルのコントローラ１１４によって収集された情報を使用して、センサ１０２ａ及びアクチュエータ１０２ｂの動作上の履歴を見直すことを可能にさせることができる。オペレータステーション１１６は、ユーザに、センサ１０２ａ、アクチュエータ１０２ｂ、コントローラ１０６、又は機械レベルのコントローラ１１４の動作を調整することを可能にさせることもできる。さらに、オペレータステーション１１６は、コントローラ１０６又は機械レベルのコントローラ１１４によって生成された、警告、警報、又はその他のメッセージもしくは表示を受信し、表示することができる。オペレータステーション１１６のそれぞれは、システム１００内の１つ又は複数の構成要素のユーザアクセス及び制御をサポートするのに適した任意の構造を含む。オペレータステーション１１６のそれぞれは、例えば、Ｍｉｃｒｏｓｏｆｔ  Ｗｉｎｄｏｗｓオペレーティングシステムを実行するコンピューティングデバイスに相当することができる。
【００１７】
[0019]少なくとも１つのルータ／ファイアウォール１１８は、ネットワーク１１２を２つのネットワーク１２０に結合する。このルータ／ファイアウォール１１８は、セキュアなルータ又は組合せルータ／ファイアウォールなどの、ネットワーク間での通信を提供するのに適した任意の構造を含む。ネットワーク１２０は、ＦＴＥネットワークなどの任意の適切なネットワークに相当することができる。
【００１８】
[0020]パデューモデルにおいて、「レベル３」は、ネットワーク１２０に結合された１つ又は複数のユニットレベルのコントローラ１２２を含み得る。各ユニットレベルのコントローラ１２２は、通常、１つのプロセスの少なくとも一部を実装するために共に動作する種々の機械の集合体に相当する、プロセスシステム内の１つのユニットに関連付けられる。ユニットレベルのコントローラ１２２は、下位レベル内の構成要素の動作及び制御をサポートするために様々な機能を果たす。例えば、ユニットレベルのコントローラ１２２は、下位レベル内の構成要素によって収集又は生成された情報のログを作成し、下部レベル内の構成要素を制御するアプリケーションを実行し、かつ下部レベル内の構成要素へのセキュアなアクセスを提供することができる。ユニットレベルのコントローラ１２２のそれぞれは、１つのプロセスユニット内の１つ又は複数の機械もしくはその他の機器へのアクセスを提供するのに、それらの制御に、又はそれらに関する動作に適した任意の構造を含む。ユニットレベルのコントローラ１２２のそれぞれは、例えば、Ｍｉｃｒｏｓｏｆｔ  Ｗｉｎｄｏｗｓオペレーティングシステムを実行するサーバコンピューティングデバイスに相当することができる。示されていないが、種々のユニットレベルのコントローラ１２２が、１つのプロセスシステム内の種々のユニットを制御するために使用され得る（この場合、各ユニットは、１つ又は複数の機械レベルのコントローラ１１４、コントローラ１０６、センサ１０２ａ、及びアクチュエータ１０２ｂに関連付けられる）。
【００１９】
[0021]ユニットレベルのコントローラ１２２へのアクセスは、１つ又は複数のオペレータステーション１２４によって提供され得る。オペレータステーション１２４のそれぞれは、システム１００内の１つ又は複数の構成要素のユーザアクセス及び制御をサポートするのに適した任意の構造を含む。オペレータステーション１２４のそれぞれは、例えば、Ｍｉｃｒｏｓｏｆｔ  Ｗｉｎｄｏｗｓオペレーティングシステムを実行するコンピューティングデバイスに相当することができる。
【００２０】
[0022]少なくとも１つのルータ／ファイアウォール１２６は、ネットワーク１２０を２つのネットワーク１２８に結合する。このルータ／ファイアウォール１２６は、セキュアなルータ又は組合せルータ／ファイアウォールなどの、ネットワーク間での通信を提供するのに適した任意の構造を含む。ネットワーク１２８は、ＦＴＥネットワークなどの任意の適切なネットワークに相当することができる。
【００２１】
[0023]パデューモデルにおいて、「レベル４」は、ネットワーク１２８に結合された１つ又は複数のプラントレベルのコントローラ１３０を含み得る。各プラントレベルのコントローラ１３０は、通常、同一、同様、又は種々のプロセスを実装する１つ又は複数のプロセスユニットを含み得る、プラント１０１ａ〜１０１ｎのうちの１つに関連付けられる。プラントレベルのコントローラ１３０は、下位レベル内の構成要素の動作及び制御をサポートするために様々な機能を果たす。特定の例として、プラントレベルのコントローラ１３０は、１つ又は複数の製造実行システム（ＭＥＳ：Ｍａｎｕｆａｃｔｕｒｉｎｇ  Ｅｘｅｃｕｔｉｏｎ  Ｓｙｓｔｅｍ）アプリケーション、スケジューリングアプリケーション、又は任意のその他のもしくは追加のプラントもしくはプロセス制御アプリケーションを実行することができる。プラントレベルのコントローラ１３０のそれぞれは、１つのプロセスプラント内の１つ又は複数のプロセスユニットへのアクセスを提供するのに、それらの制御に、又はそれらに関する動作に適した任意の構造を含む。プラントレベルのコントローラ１３０のそれぞれは、例えば、Ｍｉｃｒｏｓｏｆｔ  Ｗｉｎｄｏｗｓオペレーティングシステムを実行するサーバコンピューティングデバイスに相当することができる。
【００２２】
[0024]プラントレベルのコントローラ１３０へのアクセスは、１つ又は複数のオペレータステーション１３２によって提供され得る。オペレータステーション１３２のそれぞれは、システム１００内の１つ又は複数の構成要素のユーザアクセス及び制御をサポートするのに適した任意の構造を含む。オペレータステーション１３２のそれぞれは、例えば、Ｍｉｃｒｏｓｏｆｔ  Ｗｉｎｄｏｗｓオペレーティングシステムを実行するコンピューティングデバイスに相当することができる。
【００２３】
[0025]少なくとも１つのルータ／ファイアウォール１３４は、ネットワーク１２８を１つ又は複数のネットワーク１３６に結合する。このルータ／ファイアウォール１３４は、セキュアなルータ又は組合せルータ／ファイアウォールなどの、ネットワーク間での通信を提供するのに適した任意の構造を含む。ネットワーク１３６は、エンタープライズ全体のイーサネット（登録商標）もしくはその他のネットワーク、又はより大型のネットワーク（インターネットなど）の全体もしくは一部などの、任意の適したネットワークに相当することができる。
【００２４】
[0026]パデューモデルにおいて、「レベル５」は、ネットワーク１３６に結合された１つ又は複数のエンタープライズレベルのコントローラ１３８を含み得る。各エンタープライズレベルのコントローラ１３８は、通常、複数のプラント１０１ａ〜１０１ｎ用のプランニング動作を行い、かつそれらのプラント１０１ａ〜１０１ｎの様々な側面を制御することができる。エンタープライズレベルのコントローラ１３８はまた、プラント１０１ａ〜１０１ｎ内の構成要素の動作及び制御をサポートするために様々な機能を果たす。特定の例として、エンタープライズレベルのコントローラ１３８は、１つ又は複数の注文処理アプリケーション、エンタープライズリソースプランニング（ＥＲＰ：Ｅｎｔｅｒｐｒｉｓｅ  Ｒｅｓｏｕｒｃｅ  Ｐｌａｎｎｉｎｇ）アプリケーション、先進的プランニング及びスケジューリング（ＡＰＳ：Ａｄｖａｎｃｅｄ  Ｐｌａｎｎｉｎｇ  ａｎｄ  Ｓｃｈｅｄｕｌｉｎｇ）アプリケーション、又はその他のもしくは追加のエンタープライズ制御アプリケーションを実行することができる。エンタープライズレベルのコントローラ１３８のそれぞれは、１つ又は複数のプラントの制御部へのアクセスを提供するのに、それの制御に、又はそれに関する動作に適した任意の構造を含む。エンタープライズレベルのコントローラ１３８のそれぞれは、例えば、Ｍｉｃｒｏｓｏｆｔ  Ｗｉｎｄｏｗｓオペレーティングシステムを実行するサーバコンピューティングデバイスに相当することができる。本書類において、「エンタープライズ」という用語は、管理されるべき１つ又は複数のプラントもしくはその他の処理設備を有する組織を指す。１つのプラント１０１ａが管理されるべきである場合、エンタープライズレベルのコントローラ１３８の機能性は、プラントレベルのコントローラ１３０に組み入れられることが可能である、ということに留意されたい。
【００２５】
[0027]エンタープライズレベルのコントローラ１３８へのアクセスは、１つ又は複数のオペレータステーション１４０によって提供され得る。オペレータステーション１４０のそれぞれは、システム１００内の１つ又は複数の構成要素のユーザアクセス及び制御をサポートするのに適した任意の構造を含む。オペレータステーション１４０のそれぞれは、例えば、Ｍｉｃｒｏｓｏｆｔ  Ｗｉｎｄｏｗｓオペレーティングシステムを実行するコンピューティングデバイスに相当することができる。
【００２６】
[0028]パデューモデルの様々なレベルは、１つ又は複数のデータベースなどのその他の構成要素を含むことができる。各レベルに関連したデータベースは、システム１００のそのレベル又は１つもしくは複数のその他のレベルに関連した任意の適切な情報を格納することができる。例えば、ヒストリアン１４１が、ネットワーク１３６に結合されることが可能である。ヒストリアン１４１は、システム１００についての様々な情報を格納する構成要素に相当することができる。ヒストリアン１４１は、例えば、生産のスケジューリング及び最適化の最中に使用される情報を格納することができる。ヒストリアン１４１は、情報を格納し、かつ情報の検索を容易にするのに適した任意の構造に相当する。ヒストリアン１４１は、ネットワーク１３６に結合された単一の集中型構成要素として示されているが、システム１００内の他の場所に位置することが可能であり、又は複数のヒストリアンが、システム１００内の様々な位置に分散されることが可能である。
【００２７】
[0029]特定の実施形態において、図１での様々なコントローラ及びオペレータステーションは、コンピューティングデバイスに相当してもよい。例えば、コントローラ１０６、１１４、１２２、１３０、１３８のそれぞれは、１つ又は複数の処理デバイス１４２と、処理デバイス１４２によって使用され、生成され、又は収集される命令及びデータを格納するための１つ又は複数のメモリ１４４を含むことができる。コントローラ１０６、１１４、１２２、１３０、１３８のそれぞれは、１つ又は複数のイーサネット（登録商標）インタフェースもしくは無線トランシーバなどの、少なくとも１つのネットワークインタフェース１４６も含むことができる。また、オペレータステーション１１６、１２４、１３２、１４０のそれぞれは、１つ又は複数の処理デバイス１４８と、処理デバイス１４８によって使用され、生成され、又は収集される命令及びデータを格納するための１つ又は複数のメモリ１５０を含むことができる。オペレータステーション１１６、１２４、１３２、１４０のそれぞれは、１つ又は複数のイーサネット（登録商標）インタフェースもしくは無線トランシーバなどの少なくとも１つのネットワークインタフェース１５２も含むことができる。
【００２８】
[0030]ネットワーキング世界では、セキュリティは、一番の関心事であり、ネットワーク上のサーバ、ワークステーション、スイッチ、ルータ、及びファイアウォールをセキュアにするのに、数多くのソリューションが使用できる。例えば、以下のような機能をサポートする様々なソリューションがある：
[0031]・脅威、マルウェア、及びウイルスの検出
[0032]・アプリケーションホワイトリスティング
[0033]・ファイアウォール（ハードウェア及びソフトウェア）
[0034]・ネットワークデバイス監視（スイッチ及びルータに対してなど）
[0035]・最新の状態のソフトウェアパッチ当て
[0036]世界中で、システム及びデバイスをセキュアにするのを手助けするために、このようなソリューションが使用され得る。しかしながら、現在、ネットワーク全体の高レベルビューを提供するために、これらの様々なソフトウェアツールからデータを収集する機構がない。その代わり、管理者が、色々なシステム上のこれらの複数のソフトウェアツールを監視して、ネットワークをセキュアにする必要がある。様々なシステムからデータを収集し、ネットワーク全体を監視し、またネットワーク全体の健全性を示すデータを提供することができるソフトウェアツールが、非常に有用であるだろう。本開示は、このようなソフトウェアツールをサポートするリスクマネージャ１５４を提供する。
【００２９】
[0037]リスクマネージャ１５４は、インフラストラクチャ監視ソフトウェアを使用してサイバーセキュリティリスクデータを収集するための技法をサポートする任意の適切な構造を含む。ここでは、リスクマネージャ１５４は、１つ又は複数の処理デバイス１５６、処理デバイス１５６によって使用、生成、又は収集される命令及びデータを格納するための１つ又は複数のメモリ１５８、及び少なくとも１つのネットワークインタフェース１６０を含む。各処理デバイス１５６は、マイクロプロセッサ、マイクロコントローラ、デジタル信号処理、フィールドプログラマブルゲートアレイ、特定用途向け集積回路、又は個別論理（ｄｉｓｃｒｅｔｅ  ｌｏｇｉｃ）に相当する可能性がある。各メモリ１５８は、ランダムアクセスメモリ又はフラッシュメモリなど、揮発性又は不揮発性の記憶検索デバイスに相当する可能性がある。各ネットワークインタフェース１６０は、イーサネット（登録商標）インタフェース、無線トランシーバ、又は外部通信を容易にするその他のデバイスに相当する可能性がある。リスクマネージャ１５４の機能性は、任意の適切なハードウェア、又はハードウェアとソフトウェア／ファームウェア命令との組合せを使用して実装される可能性がある。
【００３０】
[0038]図１は、産業用プロセス制御及び自動化システム１００の一例を示すが、図１に様々な変更がなされてもよい。例えば、制御及び自動化システムは、任意の個数のセンサ、アクチュエータ、コントローラ、サーバ、オペレータステーション、ネットワーク、リスクマネージャ、及びその他の構成要素を含む可能性がある。また、図１におけるシステム１００の組み立て及び配置は、単に例示のためのものである。特定のニーズに従って、任意のその他の適切な構成で、構成要素が追加され、省略され、組み合わされ、又は置かれる可能性がある。さらに、特定の機能が、システム１００の特定の構成要素によって行われるとして説明された。これは、単に例示のためのものである。一般に、制御及び自動化システムは、高度に構成可能であり、特定のニーズに従い任意の適切な方法で構成され得る。また、図１は、そこにおいてリスクマネージャ１５４の機能が使用され得る環境の例を示す。この機能性は、任意のその他の適切なデバイス又はシステムにおいて使用され得る。
【００３１】
[0039]図２は、本開示による、インフラストラクチャ監視ソフトウェアを使用してサイバーセキュリティリスクデータを収集するための技法をサポートするアーキテクチャ２００の例を示す。アーキテクチャ２００は、リスクマネージャ１５４を使用してサポート又は実装される可能性がある。このアーキテクチャ２００は、インフラストラクチャ監視ソフトウェアを使用してサイバーセキュリティリスクデータを収集するための技法をサポートする。
【００３２】
[0040]アーキテクチャ２００は、この例では、サーバ２１０、ネットワークノード２２０、ルールエンジン２３０、監視ノード２４０、及びユーザシステム２５０を含む。サーバ２１０は、処理デバイス、メモリ、及びネットワークインタフェースのようなハードウェア構成要素を有する、リスクマネージャ１５４として、又は別のサーバデータ処理システムとして実装され得る。ユーザシステム２５０は、同様に、本明細書に説明されるようなサーバ２１０と通信するように構成された、具体的には、本明細書に説明されるプロセスを構成するための任意のデータ処理システムとすることができ、リスクマネージャ１５４としても実装され得る。ユーザシステム２５０は、いくつかの実施形態では、サーバ２１０と同じ物理システム上に実装され得ることに留意されたい。
【００３３】
[0041]サーバ２１０は、例えばリスクマネージャ１５４により実行されると、アンチウイルスツール又はアプリケーションホワイトリスティングツールからのデータ、Ｗｉｎｄｏｗｓセキュリティイベント、ネットワークセキュリティデータ（スイッチ、ルータ、ファイアウォール、及び侵入検出／防止システムの状態を含む）、バックアップ状態、パッチ当て状態、及びアセットポリシーなど、監視ノード２４０からの様々なデータを収集する。その他の例は、ワークステーション、ホワイトリスティングサーバ、アンチウイルスシステム、バックアップサーバ、及びその他セキュリティソフトウェアを含む、監視ノード２４０として示される。同様に、ネットワークノード２２０も監視され得る。ネットワークノード２２０は、ハードウェアにおいて実装されるものであろうとソフトウェアにおいて実装されるものであろうと、スイッチ、ルータ、ファイアウォールを含む侵入防止システム（ＩＰＳ：Ｉｎｔｒｕｓｉｏｎ  Ｐｒｅｖｅｎｔｉｏｎ  Ｓｙｓｔｅｍ）、及びその他のネットワークデバイスを含むことができる。
【００３４】
[0042]監視ノード２４０を監視することを開始するために、構成が、それをユーザシステム２５０から受信する、それを記憶域から読み込む、それを別のデバイス又はプロセスから受信する、又はその他などによって、サーバ２１０に読み込まれ、それによって受信され得る。この構成は、サーバ２１０によって、監視ノード２４０又はネットワークノード２２０上のそれぞれのエージェント２４２（図２において「Ａ」で表され、ラベル２４２はエージェントごとには示されていない）にプッシュされ得る。エージェント２４２もサーバ２１０も、構成カテゴリについて知っており、データ収集の各タイプ及びサブタイプは、自カテゴリ識別子を有することができる。エージェント２４２は、各デバイス又はソフトウェアアプリケーション上の分かっている脆弱性（期限切れのＷｉｎｄｏｗｓパッチなど）に対してデバイスを走査し、セキュリティ含みの事象（ウイルス検出又はＷｉｎｄｏｗｓ認証失敗など）に対してデバイスを絶えず監視する。監視領域は、アンチウイルス、アプリケーションホワイトリスティング、Ｗｉｎｄｏｗｓセキュリティイベント、ネットワークセキュリティ（スイッチ、ルータ、ファイアウォール、及び侵入検出／防止システムの状態を含む）、バックアップ状態、パッチ当て状態及びアセットポリシーを含んでもよいが、これらに限定されない。各エージェント２４２は、そのデバイス上に発生した事象をアラートに変換し、その構成識別子を割り当てる。
【００３５】
[0043]サーバ２１０は、この情報を各エージェント２４２から収集するか又は受信し、情報を分析し、情報及び分析結果をオペレータ（管理者など）に提示し、情報及び結果を格納するか又はそれらをユーザシステム２５０に伝送することができる。
【００３６】
[0044]様々な実施形態において、ルールエンジン２３０は、データアダプタ２３２を使用して、必要に応じて、データをエージェント２４２のそれぞれに、またそれぞれから移し、適切なデータが各エージェント２４２に送信され得るように、また、各エージェント２４２から受信されたデータがサーバ２１０によって使用されるための一貫したフォーマットに変換され得るようにする。データを一貫したフォーマットに変換することによって、ルールエンジン１５４は、それにより監視されたノードのそれぞれからの相対リスクが容易に比較され得る、「ダッシュボード」ユーザインタフェースを提示することができる。
【００３７】
[0045]開示された実施形態は、いくつかの実施形態では、マイクロソフトコーポレーションからのＳｙｓｔｅｍ  Ｃｅｎｔｅｒ  Ｏｐｅｒａｔｉｏｎｓ  Ｍａｎａｇｅｒ（ＳＣＯＭ）のインフラストラクチャ監視ソフトウェアツールなどのインフラストラクチャ監視ツールの上部に対して実装され得る。開示された実施形態は、エージェントからリスクデータを収集するための、またカスタム構成を管理パック形態に押し込むためのインフラストラクチャを提供することができる。本明細書に開示されるように修正又は使用されるような、ＳＣＯＭによって収集されたデータは、Ｏｐｅｒａｔｉｏｎｓ  Ｍａｎａｇｅｒデータベースと呼ばれるＳＣＯＭデータベースに格納され得る。Ｏｐｅｒａｔｉｏｎｓ  Ｍａｎａｇｅｒデータベース内のデータは、ＳＱＬ又はＭＯＭ（Ｍｉｃｒｏｓｏｆｔ  Ｏｐｅｒａｔｉｏｎｓ  Ｍａｎａｇｅｒ）のアプリケーションプログラムインタフェース（ＡＰＩ：Ａｐｐｌｉｃａｔｉｏｎ  Ｐｒｏｇｒａｍ  Ｉｎｔｅｒｆａｃｅ）を使用して読み込まれ得る。
【００３８】
[0046]図２は、インフラストラクチャ監視ソフトウェアを使用してサイバーセキュリティリスクデータを収集するための技法をサポートするアーキテクチャ２００の一例を示すが、図２に様々な変更がなされてもよい。例えば、図２における構成要素及び下位構成要素の機能分割は、単に例示のためのものである。様々な構成要素又は下位構成要素が、組み合わされる、さらに小さく分割される、再構成される、又は省略される可能性があり、また、追加の構成要素又は下位構成要素が、特定のニーズに従って追加される可能性がある。
【００３９】
[0047]図３は、以下に総称して「リスクマネージャシステム」と呼ばれる、説明される通りに行うように構成された、例えば、リスクマネージャ１５４、アーキテクチャ２００、又はその他のデバイスによって行われ得る、開示された実施形態によるプロセス３００のフローチャートを示す。
【００４０】
[0048]リスクマネージャシステムは、１つ又は複数のリスク監視構成を受信する（３０５）。
[0049]リスクマネージャシステムは、コンピューティングシステム内の複数のデバイスに関連したエージェントに第１の情報を送信し、この場合、第１の情報は、リスク監視構成のうちの１つ又は複数に関連している（３１０）。このプロセスの一環として、リスクマネージャシステムは、それぞれのデバイスの要件に従って、１つ又は複数のリスク監視構成を第１の情報に変換することができる。
【００４１】
[0050]リスクマネージャシステムは、それぞれのエージェントから第２の情報を受信し、この場合、第２の情報は、デバイスに関連した特定された脆弱性及び事象を特定する（３１５）。このプロセスの一環として、システムは、第２の情報を、それぞれのデバイスのフォーマットから一貫したフォーマットに変換することができる。
【００４２】
[0051]リスクマネージャシステムは、第２の情報及び第２の情報分析のうちの少なくとも１つを格納し、それをユーザに表示することができる（３２０）。
[0052]ここに示されるリスクマネージャ１５４及び／又はアーキテクチャ２００は、以下の先に出願された特許出願及び同時出願の特許出願（それらの全てが参照により本明細書に組み込まれる）に説明されている様々な特徴の任意の組合せ又は全てと共に使用又は動作する可能性があることに留意されたい：
・「ＤＹＮＡＭＩＣ  ＱＵＡＮＴＩＦＩＣＡＴＩＯＮ  ＯＦ  ＣＹＢＥＲ−ＳＥＣＵＲＩＴＹ  ＲＩＳＫＳ  ＩＮ  Ａ  ＣＯＮＴＲＯＬ  ＳＹＳＴＥＭ（制御システムにおけるサイバーセキュリティリスクの動的定量化）」という名称の米国特許出願第１４／４８２，８８８号
・「ＡＮＡＬＹＺＩＮＧ  ＣＹＢＥＲ−ＳＥＣＵＲＩＴＹ  ＲＩＳＫＳ  ＩＮ  ＡＮ  ＩＮＤＵＳＴＲＩＡＬ  ＣＯＮＴＲＯＬ  ＥＮＶＩＲＯＮＭＥＮＴ（産業制御環境におけるサイバーセキュリティリスクの分析）」という名称の米国仮特許出願第６２／０３６，９２０号
・「ＲＵＬＥＳ  ＥＮＧＩＮＥ  ＦＯＲ  ＣＯＮＶＥＲＴＩＮＧ  ＳＹＳＴＥＭ−ＲＥＬＡＴＥＤ  ＣＨＡＲＡＣＴＥＲＩＳＴＩＣＳ  ＡＮＤ  ＥＶＥＮＴＳ  ＩＮＴＯ  ＣＹＢＥＲ−ＳＥＣＵＲＩＴＹ  ＲＩＳＫ  ＡＳＳＥＳＳＭＥＮＴ  ＶＡＬＵＥＳ（システム関連の特性及び事象をサイバーセキュリティリスクアセスメント値に変換するためのルールエンジン）」という名称の米国仮特許出願第６２／１１３，０７５号、及び当該出願と同時に出願された同様の名称（整理番号Ｈ００４８９３２−０１１５）の対応する非仮米国特許出願第１４／８７１，６９５号
・「ＮＯＴＩＦＩＣＡＴＩＯＮ  ＳＵＢＳＹＳＴＥＭ  ＦＯＲ  ＧＥＮＥＲＡＴＩＮＧ  ＣＯＮＳＯＬＩＤＡＴＥＤ，ＦＩＬＴＥＲＥＤ，ＡＮＤ  ＲＥＬＥＶＡＮＴ  ＳＥＣＵＲＩＴＹ  ＲＩＳＫ−ＢＡＳＥＤ  ＮＯＴＩＦＩＣＡＴＩＯＮＳ（統合され、フィルタ処理された、該当するセキュリティリスクベースの通知を生成するための通知サブシステム）」という名称の米国仮特許出願第６２／１１３，２２１号、及び当該出願と同時に出願された同様の名称（整理番号Ｈ００４８９３７−０１１５）の対応する非仮米国特許出願第１４／８７１，５２１号
・「ＩＮＦＲＡＳＴＲＵＣＴＵＲＥ  ＭＯＮＩＴＯＲＩＮＧ  ＴＯＯＬ  ＦＯＲ  ＣＯＬＬＥＣＴＩＮＧ  ＩＮＤＵＳＴＲＩＡＬ  ＰＲＯＣＥＳＳ  ＣＯＮＴＲＯＬ  ＡＮＤ  ＡＵＴＯＭＡＴＩＯＮ  ＳＹＳＴＥＭ  ＲＩＳＫ  ＤＡＴＡ（産業用プロセス制御及び自動化システムリスクデータを収集するためのインフラストラクチャ監視ツール）」という名称の米国仮特許出願第６２／１１３，１８６号、及び当該出願と同時に出願された同様の名称（整理番号Ｈ００４８９４５−０１１５）の対応する非仮米国特許出願第１４／８７１，７３２号
・「ＰＡＴＣＨ  ＭＯＮＩＴＯＲＩＮＧ  ＡＮＤ  ＡＮＡＬＹＳＩＳ（パッチ監視及び分析）」という名称の米国仮特許出願第６２／１１３，１６５号、及び当該出願と同時に出願された同様の名称（整理番号Ｈ００４８９７３−０１１５）の対応する非仮米国特許出願第１４／８７１，９２１号
・「ＡＰＰＡＲＡＴＵＳ  ＡＮＤ  ＭＥＴＨＯＤ  ＦＯＲ  ＡＵＴＯＭＡＴＩＣ  ＨＡＮＤＬＩＮＧ  ＯＦ  ＣＹＢＥＲ−ＳＥＣＵＲＩＴＹ  ＲＩＳＫ  ＥＶＥＮＴＳ（サイバーセキュリティリスクイベントの自動ハンドリング用の装置及び方法）」という名称の米国仮特許出願第６２／１１３，１５２号、及び当該出願と同時に出願された同様の名称（整理番号Ｈ００４９０６７−０１１５）の対応する非仮米国特許出願第１４／８７１，５０３号
・「ＡＰＰＡＲＡＴＵＳ  ＡＮＤ  ＭＥＴＨＯＤ  ＦＯＲ  ＤＹＮＡＭＩＣ  ＣＵＳＴＯＭＩＺＡＴＩＯＮ  ＯＦ  ＣＹＢＥＲ−ＳＥＣＵＲＩＴＹ  ＲＩＳＫ  ＩＴＥＭ  ＲＵＬＥＳ（サイバーセキュリティリスク項目ルールの動的カスタマイゼーション用の装置及び方法）」という名称の米国仮特許出願第６２／１１４，９２８号、及び当該出願と同時に出願された同様の名称（整理番号Ｈ００４９０９９−０１１５）の対応する非仮米国特許出願第１４／８７１，６０５号
・「ＡＰＰＡＲＡＴＵＳ  ＡＮＤ  ＭＥＴＨＯＤ  ＦＯＲ  ＰＲＯＶＩＤＩＮＧ  ＰＯＳＳＩＢＬＥ  ＣＡＵＳＥＳ，ＲＥＣＯＭＭＥＮＤＥＤ  ＡＣＴＩＯＮＳ，ＡＮＤ  ＰＯＴＥＮＴＩＡＬ  ＩＭＰＡＣＴＳ  ＲＥＬＡＴＥＤ  ＴＯ  ＩＤＥＮＴＩＦＩＥＤ  ＣＹＢＥＲ−ＳＥＣＵＲＩＴＹ  ＲＩＳＫ  ＩＴＥＭＳ（特定されたサイバーセキュリティリスク項目に関連した考えられる原因、推奨される動作、及び潜在的なインパクトを提供するための装置及び方法）」という名称の米国仮特許出願第６２／１１４，８６５号、及び当該出願と同時に出願された同様の名称（整理番号Ｈ００４９１０３−０１１５）の対応する非仮米国特許出願第１４／８７１，８１４号
・「ＡＰＰＡＲＡＴＵＳ  ＡＮＤ  ＭＥＴＨＯＤ  ＦＯＲ  ＴＹＩＮＧ  ＣＹＢＥＲ−ＳＥＣＵＲＩＴＹ  ＲＩＳＫ  ＡＮＡＬＹＳＩＳ  ＴＯ  ＣＯＭＭＯＮ  ＲＩＳＫ  ＭＥＴＨＯＤＯＬＯＧＩＥＳ  ＡＮＤ  ＲＩＳＫ  ＬＥＶＥＬＳ（サイバーセキュリティリスク分析を共通リスク方法論及びリスクレベルに結び付けるための装置及び方法）」という名称の米国仮特許出願第６２／１１４，９３７号、及び当該出願と同時に出願された同様の名称（整理番号Ｈ００４９１０４−０１１５）の対応する非仮米国特許出願第１４／８７１，１３６号
・「ＲＩＳＫ  ＭＡＮＡＧＥＭＥＮＴ  ＩＮ  ＡＮ  ＡＩＲ−ＧＡＰＰＥＤ  ＥＮＶＩＲＯＮＭＥＮＴ（空隙環境におけるリスク管理）」という名称の米国仮特許出願第６２／１１６，２４５号、及び当該出願と同時に出願された同様の名称（整理番号Ｈ００４９０８１−０１１５）の対応する非仮米国特許出願第１４／８７１，５４７号
いくつかの実施形態において、本特許書類において説明された様々な機能が、コンピュータ可読プログラムコードから形成され、かつコンピュータ可読媒体に埋め込まれたコンピュータプログラムによって実装又はサポートされる。「コンピュータ可読プログラムコード」という成句は、ソースコード、オブジェクトコード、及び実行可能コードを含む、任意のタイプのコンピュータコードを含む。「コンピュータ可読媒体」という成句は、読み取り専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、ハードディスクドライブ、コンパクトディスク（ＣＤ：Ｃｏｍｐａｃｔ  Ｄｉｓｃ）、デジタルビデオディスク（ＤＶＤ：Ｄｉｇｉｔａｌ  Ｖｉｄｅｏ  Ｄｉｓｃ）、又は任意のその他のタイプのメモリなどの、コンピュータによってアクセスされることが可能な任意のタイプの媒体を含む。「非一時的」コンピュータ可読媒体は、一時的電気信号又はその他の信号を伝送する、有線、無線、光、又はその他の通信リンクを含まない。非一時的コンピュータ可読媒体は、データが永続的に格納され得る媒体と、書き換え可能光ディスク又は消去可能メモリデバイスなどの、データが格納され、後で上書きされることが可能な媒体を含む。
【００４３】
[0053]本特許書類を通して使用されるいくつかの単語及び成句の定義を示すことは有益であり得る。「アプリケーション」及び「プログラム」という用語は、１つ又は複数のコンピュータプログラム、ソフトウェア構成要素、命令セット、手順、機能、オブジェクト、クラス、インスタンス、関連データ、又は適切なコンピュータコード（ソースコード、オブジェクトコード、又は実行可能コードを含む）での実装形態に適合されるそれらの一部を指す。「ｃｏｍｍｕｎｉｃａｔｅ（通信する）」という用語及びそれの派生語は、直接、間接両方の通信を含む。「ｉｎｃｌｕｄｅ（含む）」、「ｃｏｍｐｒｉｓｅ（含む、備える）」という用語、及びそれらの派生語は、制限なしの包含を意味する。「ｏｒ（又は）」という用語は、包含的であり、「ａｎｄ／ｏｒ（及び／又は）」を意味する。「ａｓｓｏｃｉａｔｅｄ  ｗｉｔｈ（に関連する）」という成句及びそれの派生語は、含む、〜内に含まれる、〜と相互接続する、包含する、〜内に包含される、〜に又は〜と接続する、〜に又は〜と結合する、〜と通信可能である、〜と連携する、相互配置する、並置する、〜に近接する、〜に又は〜と結び付けられる、有する、〜の特性を有する、〜への又は〜との関係を有する、あるいは同様のものを含むことを意味し得る。「ａｔ  ｌｅａｓｔ  ｏｎｅ  ｏｆ（少なくとも１つの）」という成句は、項目リストで使用される場合、列挙された項目のうちの１つ又は複数の種々の組合せが使用され得る、またリスト内のただ１つの項目が必要とされ得ることを意味する。例えば、「ａｔ  ｌｅａｓｔ  ｏｎｅ  ｏｆ：  Ａ，Ｂ，ａｎｄ  Ｃ（Ａ、Ｂ、及びＣのうちの少なくとも１つの）」は、Ａ、Ｂ、Ｃ、ＡとＢ、ＡとＣ、ＢとＣ、ＡとＢとＣの組合せのうちのいずれかを含む。
【００４４】
[0054]本開示は、特定の実施形態と、それに一般に関連する方法を説明したが、これらの実施形態及び方法の修正、置換が、当業者には明らかであろう。従って、例示的な実施形態の上の説明は、本開示を定義又は制約するものではない。その他の変更、代用、及び修正もまた、以下の特許請求の範囲によって定義されるような、本開示の趣旨及び範囲から外れない限り、可能である。
【図１】
2018510544.tif 000003
【図２】
2018510544.tif 000004
【図３】
2018510544.tif 000005
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
リスクマネージャシステム（１５４）からの第１の情報を、それぞれがコンピューティングシステム（２００）内のそれぞれのデバイス（２２０、２４０）に関連した複数のエージェント（２４２）に送信するステップ（３１０）であって、前記第１の情報が、１つ又は複数のリスク監視構成に関連している、ステップ（３１０）と、
前記エージェント（２４２）から前記リスクマネージャシステム（１５４）によって第２の情報を受信するステップ（３１５）であって、前記第２の情報が、前記それぞれのデバイス（２２０、２４０）に関連した脆弱性及び事象を特定する、ステップ（３１５）と、
前記第２の情報及び前記第２の情報の分析のうちの少なくとも１つを格納し、ユーザ（２５０）に対して表示するステップ（３２０）と
を含む、方法。
【請求項２】
前記デバイスが、スイッチ、ルータ、及び侵入防止システムを含む、ネットワークノード（２２０）である、請求項１に記載の方法。
【請求項３】
前記デバイスが、ワークステーション、ホワイトリスティングサーバ、アンチウイルスシステム、バックアップサーバ、及びその他のセキュリティソフトウェアのうちの１つ又は複数を含む、監視ノード（２４０）である、請求項１に記載の方法。
【請求項４】
前記リスクマネージャシステム（１５４）が、データアダプタ（２３２）を使用して前記エージェント（２４２）のそれぞれへ及びそれぞれからデータを移すルールエンジン（２３０）を含む、請求項１に記載の方法。
【請求項５】
コントローラ（１５６）と、
ディスプレイと
を備え、
第１の情報を、それぞれがコンピューティングシステム（２００）内のそれぞれのデバイス（２２０、２４０）に関連した複数のエージェント（２４２）に送信し（３１０）、前記第１の情報が、１つ又は複数のリスク監視構成に関連し、
前記エージェント（２４２）から第２の情報を受信し（３１５）、前記第２の情報が、前記それぞれのデバイス（２２０、２４０）に関連した脆弱性及び事象を特定し、
前記第２の情報及び前記第２の情報の分析のうちの少なくとも１つを格納し、ユーザ（２５０）に対して表示する（３２０）
ように構成された、リスクマネージャシステム（１５４）。
【請求項６】
前記デバイスが、ワークステーション、ホワイトリスティングサーバ、アンチウイルスシステム、バックアップサーバ、及びその他のセキュリティソフトウェアのうちの１つ又は複数を含む、監視ノード（２４０）である、請求項５に記載のリスクマネージャシステム。
【請求項７】
前記リスクマネージャシステム（１５４）が、データアダプタ（２３２）を使用して前記エージェント（２４２）のそれぞれへ及びそれぞれからデータを移す、ルールエンジン（２３０）を含む、請求項５に記載のリスクマネージャシステム。
【請求項８】
実行されると、リスクマネージャシステム（１５４）の１つ又は複数のプロセッサ（１５６）に、
第１の情報を、それぞれがコンピューティングシステム（２００）内のそれぞれのデバイス（２２０、２４０）に関連した複数のエージェント（２４２）に送信させ（３１０）、前記第１の情報が、１つ又は複数のリスク監視構成に関連し、
前記エージェント（２４２）から第２の情報を受信させ（３１５）、前記第２の情報が、前記それぞれのデバイス（２２０、２４０）に関連した脆弱性及び事象を特定し、
前記第２の情報及び前記第２の情報の分析のうちの少なくとも１つを格納し、ユーザ（２５０）に対して表示させる、実行可能命令で符号化された非一時的機械可読媒体（１５８）。
【国際調査報告】
2018510544.tif 000006
2018510544.tif 000007